(57)【要約】【課題】筐体を開けて二次電池を取り出して充電することなく、二次電池への充電を可能にし、かつ、画面に表示する情報を送信して書き換えることができる非接触充電方式電子ペーパーを提供する。【解決手段】少なくとも一方が透明な２枚の基板２、３間に表示媒体４を封入し、表示媒体を駆動させて画像等の情報を表示する表示部パネル６と、表示部パネルの背面に設けられた非接触充電方式の充電池機能部７と、表示部パネルと非接触充電方式の充電池機能部との間に設けられた電磁波シールド層８と、から少なくとも非接触充電方式電子ペーパー１を構成する。【選択図】図１
2009165226.tif 000002
【特許請求の範囲】
【請求項１】
少なくとも一方が透明な２枚の基板間に表示媒体を封入し、表示媒体を駆動させて画像等の情報を表示する表示部パネルと、表示部パネルの背面に設けられた非接触充電方式の充電池機能部と、表示部パネルと非接触充電方式の充電池機能部との間に設けられた電磁波シールド層と、から少なくとも構成されることを特徴とする非接触充電方式電子ペーパー。
【請求項２】
表示部パネルおよび電磁波シールド層の背面に、表示部パネルの駆動装置部と、外部からの書き換え信号を受信する書き換え信号受信機能部と、外部からの書き換えデータ信号を読み取り収納するデータ信号収納機能部と、データ信号収納機能部のデータを読み出すデータ読み出し機能部と、を設けたことを特徴とする請求項１に記載の非接触充電方式電子ペーパー。
【請求項３】
非接触充電方式の充電池機能部が、外部の充電装置からの電力信号を受ける受電コイルと、受電コイルで受けた電力信号を制御する充電部と、充電部の制御により電力を蓄積する充電池と、充電池の電力を制御して駆動装置部に電圧を供給する電源部と、充電池の電圧を検出する充電池電圧検出部と、充電池電圧検出部の電圧検出結果により要充電状態である場合に信号を発する要充電報知駆動部と、実際に要充電信号を報知する要充電信号報知部と、から構成されることを特徴とする請求項１または２に記載の非接触充電方式電子ペーパー。
【発明の詳細な説明】
【技術分野】
【０００１】
本発明は、可逆式情報表示用電子ペーパー、特には、半導体工場など高いクリーン度を要求される室内や水中でも表示情報を繰り返し書き換えて表示できる非接触充電方式電子ペーパーに関するものである。
【背景技術】
【０００２】
従来生産工場では、生産指令書、生産指示書などに紙を用いていた。紙からは紙の繊維や充填材などが発塵することから、クリーン度が要求される生産工程では、紙に代わって電子ペーパー（繰り返し書き換え式情報表示装置）の使用が提案されている（例えば、特許文献１参照）。これら電子ペーパーに表示させる情報は電力を用いて書き換えるため、従来の紙と同様に移動性を付与する必要から、一次電池や二次電池などの電源搭載型の電子ペーパーとなっている。
【０００３】
近年、クリーン度が要求される生産工程（例えば半導体の生産工程や精密電子機器、食品、医薬品の生産工程など）が急速に増えてきており、これらの生産工程で使用できる生産指令書、生産指示書などになりうる電子ペーパーへの期待が高まっている。また、水中や高湿度環境で用いる情報表示ボードとしての可逆式情報表示用電子ペーパーへの期待も高いが、現状存在していない。
【特許文献１】特開２００３−１６７２７４号公報
【発明の開示】
【発明が解決しようとする課題】
【０００４】
一次電池や二次電池などの電源搭載型の電子ペーパーとしては、特許文献１に記載された乾式の帯電粒子を気体中で移動させる方式の他、液晶を用いた方式、帯電粒子を液体中で移動させる方式（電気泳動方式）、エレクトロクロミック方式など種々の方式のものが提案されているが、電力が消費されてしまった電池は交換するか充電して再利用するかしなければならなかった。そのいずれの場合も使用済み電池を一旦電子ペーパーから取り出し、新品または充電済の電池を再充電するか、あるいは、しかるべき電源と接続し充電する必要があるため、電池取り出し口や電源の開閉構造部分がクリーンルームにおける粉塵発生源となる問題があった。
【０００５】
蓋構造においては蓋を開閉する機構をどのように構成しても蓋と嵌合部との摩擦によって粉塵が発生してしまうため、これがクリーンルームにおける粉塵発生源となってしまう。また、電池を用いずにケーブルを介して電源供給すれば、電子ペーパーの筐体を開けて電池交換したり、二次電池の場合には取り出したりして充電する必要はないが、この場合の電子ペーパーは持ち運ぶことはできず、携帯性、移動性が要求される生産指令書、生産指示書などへは適用できないという問題や、水中や高湿度環境で用いる情報表示ボードとはできないという問題があった。
【０００６】
本発明の目的は上述した問題点を解消して、一例として常時クリーンルーム内あるいは水中で用いられる二次電池搭載型の電子ペーパーにおいて、筐体をいちいち開けて二次電池を取り出して充電することなく、二次電池への充電を可能にし、かつ、画面に表示する情報を送信して書き換えることができる非接触充電方式電子ペーパーを提供しようとするものである。
【課題を解決するための手段】
【０００７】
本発明の非接触充電方式電子ペーパーは、少なくとも一方が透明な２枚の基板間に表示媒体を封入し、表示媒体を駆動させて画像等の情報を表示する表示部パネルと、表示部パネルの背面に設けられた非接触充電方式の充電池機能部と、表示部パネルと非接触充電方式の充電池機能部との間に設けられた電磁波シールド層と、から少なくとも構成されることを特徴とするものである。
【０００８】
なお、本発明の非接触充電方式電子ペーパーの好適例としては、表示部パネルおよび電磁波シールド層の背面に、表示部パネルの駆動装置部と、外部からの書き換え信号を受信する書き換え信号受信機能部と、外部からの書き換えデータ信号を読み取り収納するデータ信号収納機能部と、データ信号収納機能部のデータを読み出すデータ読み出し機能部と、を設けたこと、非接触充電方式の充電池機能部が、外部の充電装置からの電力信号を受ける受電コイルと、受電コイルで受けた電力信号を制御する充電部と、充電部の制御により電力を蓄積する充電池と、充電池の電力を制御して駆動装置部に電圧を供給する電源部と、充電池の電圧を検出する充電池電圧検出部と、充電池電圧検出部の電圧検出結果により要充電状態である場合に信号を発する要充電報知駆動部と、実際に要充電信号を報知する要充電信号報知部と、から構成されること、がある。
【発明の効果】
【０００９】
本発明では、少なくとも一方が透明な２枚の基板間に表示媒体を封入し、表示媒体を駆動させて画像等の情報を表示する表示部パネルと、表示部パネルの背面に設けられた非接触充電方式の充電池機能部と、表示部パネルと非接触充電方式の充電池機能部との間に設けられた電磁波シールド層と、から少なくとも構成することで、筐体をいちいち開けて二次電池を取り出して充電することなく、二次電池への充電を可能にし、かつ、画面に表示する情報を送信して書き換えることができる非接触充電方式電子ペーパーを得ることができる。
【発明を実施するための最良の形態】
【００１０】
＜非接触充電方式電子ペーパーの構成について＞
図１および図２はそれぞれ本発明の非接触充電方式電子ペーパーの一例を説明するための図である。
【００１１】
図１に示す例は、常時クリーンルーム内で用いられる充電池搭載型の電子ペーパーの例を示しており、非接触充電方式電子ペーパー１を、少なくとも一方が透明な２枚の基板２、３間に帯電性粒子を含んだ粒子群を表示媒体４として封入し、基板に設けた対電極を介して表示媒体４に電界を付与することによって、表示媒体４を移動（駆動）させて画像等の情報を表示する表示部パネル６と、表示部パネル６の背面に設けられた非接触充電方式の充電池機能部７と、表示部パネル６と非接触充電方式の充電池機能部７との間に設けられた電磁波シールド層８と、から少なくとも構成している。
【００１２】
また、図１に示す例では、表示部パネル６および電磁波シールド層８の背面に、非接触充電方式の充電池機能部７に加えて、表示部パネル６の駆動装置部１１と、外部からの書き換え信号を受信する書き換え信号受信機能部１２と、外部からの書き換えデータ信号を読み取り収納するデータ信号収納機能部１３と、データ信号収納機能部のデータを読み出すデータ読み出し機能部１４とを、開閉部分のない筐体１５内に収納して設けている。開閉部分のない筐体１５をメッシュ形状または穴あき形状として構成し、筐体１５に放熱機能を持たせることもできる。表示部パネル６と筐体１５との接合面は、シール材を配置して隙間がないようにしている。
【００１３】
図２に示す例は、水中や高湿度環境で用いる情報表示ボードとしての充電池搭載型の電子ペーパーの例を示しており、図１と同様に、非接触充電方式電子ペーパー１を、少なくとも一方が透明な２枚の基板２、３間に帯電性粒子を含んだ粒子群を表示媒体４として封入し、基板に設けた対電極を介して表示媒体４に電界を付与することによって、表示媒体４を移動させて画像等の情報を表示する表示部パネル６と、表示部パネル６の背面に設けられた非接触充電方式の充電池機能部７と、表示部パネル６と非接触充電方式の充電池機能部７との間に設けられた電磁波シールド層８と、から少なくとも構成している。
【００１４】
また、図２に示す例では、表示部パネル６および電磁波シールド層８の背面に、非接触充電方式の充電池機能部７に加えて、表示部パネル６の駆動装置部１１と、外部からの書き換え信号を受信する書き換え信号受信機能部１２と、外部からの書き換えデータ信号を読み取り収納するデータ信号収納機能部１３と、データ信号収納機能部のデータを読み出すデータ読み出し機能部１４とを、密閉型筐体１６内に収納して設けている。
【００１５】
表示部パネル６と筐体１６との接合面は、シール材を配置して隙間がないようにしている。さらに、筐体１６を密閉型のハウジングとして構成し、表示部パネル６以外の電子ペーパーモジュールをこのハウジングの中に収める構成とする。これによって水中等でも使用可能な電子ペーパーとすることができる。また、表示部パネル６を含む電子ペーパーモジュール全体を、透明フィルムで包むことによって完全密閉する方法（例えば、熱溶融フィルムを真空ラッピングした後、熱融着させて密閉する方法）によっても水中等で使用可能な電子ペーパーとすることができる。
【００１６】
上述した構成の本発明の非接触充電方式電子ペーパー１では、電子ペーパーに搭載した充電池機能部７が備える充電池への充電を、充電池を電子ペーパー１から取り出さずに行えるので、開閉部分のない筐体１５および筐体１６に充電池や電池の取り出し口を設ける必要がなく、取り出し口に必要な開閉機構のような摩擦部分がないため粉塵発生源を無くすことができ、クリーンルームでも常時使用できる電子ペーパーを得ることができる。また、電子ペーパー１の筐体に充電池や電池の取り出し口を設ける必要がないので、電子ペーパー１の筐体を密閉型筐体１６とすることによって、水中や高湿度環境で使用しても電子ペーパー内部に水分が侵入することを防止でき、水中や高湿度環境で使用できる電子ペーパーを得ることができる。
【００１７】
さらに、上述した構成の本発明の非接触受電方式電子ペーパー１では、表示部パネル６の駆動装置部１１と、外部からの書き換え信号を受信する書き換え信号受信機能部１２と、外部からの書き換えデータ信号を読み取り収納するデータ信号収納機能部１３と、データ信号収納機能部のデータを読み出すデータ読み出し機能部１４とを設けているため、両面に表示する情報の書き換えを、赤外線や電波等の無線によって行うことができるので書き換えスイッチも必要なく、メカニカルスイッチの場合のような摩擦摺動部による粉塵発生もなく、容易に完全密閉とすることができ、クリーンルームでも水中や高湿度環境でも使用できる。
【００１８】
＜充電池の非接触方式の充電動作について＞
次に、本発明の非接触充電方式電子ペーパーにおける充電池の充電動作について説明する。
【００１９】
図３は本発明の非接触充電方式電子ペーパーにおける充電池機能部７の詳細な構成を説明するための図である。図３に示す例において、非接触充電方式の充電池機能部７は、外部の充電装置からの電力信号を受ける受電コイル２１と、受電コイル２１で受けた電力信号を制御する充電部２２と、充電部２２の制御により電力を蓄積する充電池２３と、充電池２３の電力を制御して駆動装置部１１に電圧を供給する電源部２４と、充電池２３の電圧を検出する充電池電圧検出部２５と、充電池電圧検出部２５の電圧検出結果により要充電状態である場合に信号を発する要充電報知駆動部２６と、実際に要充電信号を報知する要充電信号報知部２７と、から構成されている。また、外部の充電装置３１は、制御部３２、送電部３３、送電コイル３４とから構成され、制御部３２で発生された信号に基づき、導電部３３は送電コイル３４へ電力を供給する。
ている。
【００２０】
図４は上述した構成の充電池機能部７と充電装置３１とを用いての充電動作を説明するための図である。図４に示すように、充電池機能部７の受電コイル２１と充電装置３１の送電コイル３４とが重なるように、電子ペーパー１を充電装置３１の上に置いて充電する。充電はクリーンルーム内で行っても良いし、別の場所に移して行っても良い。また、水中用電子ペーパーの充電は、電子ペーパー１の周囲の水分を拭き取った後、一般の室内で行う。
【００２１】
図４に示すように、電子ペーパー１を充電装置３１に載置すると、充電装置３１の送電コイル３４との電磁誘導により、受電コイル２１に電力が供給され、この電力は充電部２２へ供給される。充電池２３には充電池電圧検出部２５が設けられており、この充電池電圧検出部２５は、電子ペーパー１が要充電状態であることを、要充電報知駆動部２６を作動させて要充電信号報知部２７で報知する。要充電であることをこの報知によって知らされた使用者は、電子ペーパーに搭載した充電池への充電を行う。
【００２２】
この非接触充電方式は、電流路を電気的に接続して充電用の電力の供給を行う接触式の充電方式と比較すると、充電用電極が外部にさらされていないため、充電用電極からの静電気の印加による装置破壊や動作異常、また、充電用電極部劣化による充電不良が発生しにくいことが挙げられる。
【００２３】
＜非接触充電方式電子ペーパーに用いる表示部パネルについて＞
次に、非接触充電方式電子ペーパーに用いる表示部パネルの構成について説明する。
【００２４】
表示部パネル６としては、帯電性粒子を含んだ粒子群を表示媒体として気体中で駆動する方式、帯電性粒子を含んだ粒子群を表示媒体として液体中で駆動する方式、液晶を表示媒体として駆動する方式、エレクトロクロミック材料を表示媒体として駆動する方式、エレクトロルミネッセンス方式等の表示媒体駆動方式があるが、電子ペーパー用途には、帯電性粒子駆動方式やコレステリック液晶駆動方式が、表示メモリー性（bistable性）を有するために好ましく用いられる。
【００２５】
表示メモリー性（bistable性）とは、表示媒体を駆動させる（表示を書き換える）時だけに電力を用い、電力供給を止めても表示させた画像がそのまま保持される性質をいう。このような表示部パネルは、書き換えるときだけ電力を使い、書き換えた情報を、電源を切って電力の供給がないままに表示し続けることができるので、生産工程で使用する生産指令書、生産指示書などとして用いる電子ペーパーとして好適なものとなる。
【００２６】
次に、本発明の非接触充電方式電子ペーパーに用いる表示部パネルの基本的な構成の一例として帯電性粒子を含んだ粒子群を表示媒体とした方式の表示部パネルについて説明する。この表示部パネルでは、対向する２枚の基板間の空間に封入した少なくとも１種類以上の表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２７】
図５に示す例では、帯電粒子気体中電界駆動方式の白黒ドットマトリックス表示の表示部パネルの例を示しており、少なくとも光学的反射率および帯電性を有する粒子群で構成され、互いに光学的反射率および帯電特性が異なる少なくとも２種以上の表示媒体４３（ここでは表示用白色負帯電性粒子４３Ｗａの粒子群からなる白色表示媒体４３Ｗと表示用黒色正帯電性粒子４３Ｂａの粒子群からなる黒色表示媒体４３Ｂを示す）を、隔壁４４で形成された各セルにおいて、基板４１に設けたライン状の電極４５と基板４２に設けたライン状の電極４６との間に電圧を印加することにより発生する電界に応じて、基板４１、４２と垂直に移動させる。そして、図５に示すように、各表示単位毎に白色表示媒体４３Ｗを観察者に視認させて白色ドット表示を行うか、あるいは、黒色表示媒体４３Ｂを観察者に視認させて黒色ドット表示を行って、白／黒ドット表示している状態を示している。ここには、各表示単位に対応するセルを四角形格子状隔壁によって形成した例を示している。
【００２８】
図５に示す例において、表示面側に配置されるライン状の電極４６は、透明とするが、背面側に配置されるライン状の電極４５は、必ずしも透明である必要はない。また、図５に示す例では、ライン状の電極４５、４６を用いたドットマトリックス型の表示部パネルを示したが、表示単位として個別電極対をマトリックス配置した表示部パネルや、セグメント配置した表示部パネルとすることもできる。これらの変形例は、以下の各実施例においても同様に適用することができる。
【００２９】
図６に示す例では、帯電粒子気体中電界駆動方式のカラー表示の表示部パネルの例を示しており、図５に示す構造のパネルに加えて、表示媒体としてはセル５１−１〜５１−３の全てに白色帯電性粒子を含んで構成した白色表示媒体４３Ｗと黒色帯電性粒子を含んで構成した黒色表示媒体４３Ｂとを充填し、第１のセル５１−１の観察者側に赤色カラーフィルター５２Ｒを設け、第２のセル５１−２の観察者側に緑色カラーフィルター５２Ｇを設け、第３のセル５１−３の観察者側に青色カラーフィルター５２ＢＬを設け、第１のセル５１−１、第２のセル５１−２および第３のセル５１−３の３個のセルで表示単位（１ドット）を構成している。本例では、カラー表示を行う際に、図６に示すように、観察者側に、第１セル５１−１〜第３のセル５１−３の全てにおいて白色表示媒体４３Ｗを移動することで、観察者に対し白色ドット表示を行うことができる。あるいは、観察者側に、第１セル５１−１〜第３のセル５１−３の全てにおいて黒色表示媒体４３Ｂを移動することで、観察者に対し黒色ドット表示を行うことができる。なお、図６において、各セル内の表示媒体の移動のさせ方で、多色カラードット表示が行える。ここで白色帯電性粒子と黒色帯電性粒子とは、その帯電極性が互いに反対となるようにする。
【００３０】
図７に示す例では、帯電粒子気体中電界駆動方式のカラー表示の表示部パネルの例を示しており、第１のセル５１−１には、白色帯電性粒子４３Ｗａを含んで構成した白色表示媒体４３Ｗと赤色帯電性粒子４３Ｒａを含んで構成した赤色表示媒体４３Ｒとを充填し、第２のセル５１−２には、白色帯電性粒子４３Ｗａを含んで構成した白色表示媒体４３Ｗと青色帯電性粒子４３ＢＬａを含んで構成した青色表示媒体４３ＢＬとを充填し、第３のセル５１−３には、白色帯電性粒子４３Ｗａを含んで構成した白色表示媒体４３Ｗと緑色帯電性粒子４３Ｇａを含んで構成した緑色表示媒体４３Ｇとを充填している。図７に示す表示単位（１ドット）ではＲ色で表示している。
【００３１】
図８に示す例では、マイクロカプセル型帯電粒子液体中電界駆動方式の白黒ドットマトリックス表示の表示部パネルの例を示しており、白色帯電性粒子４３Ｗａと黒色帯電性粒子４３Ｂａとを絶縁液体５５とともに充填したマイクロカプセル５６を配置して、表示部パネルを構成している。図８に示す例では対電極とマイクロカプセルとを対応して配置し、白／黒ドット表示している状態を示している。対電極とマイクロカプセルとの位置は対応させなくともよい。この場合、対電極の位置に対応した位置にある表示媒体がマイクロカプセル内で移動して白／黒どっｔ表示することになる。
【００３２】
図９および図１０はそれぞれ帯電粒子気体中電界駆動方式のエリアカラー表示の表示部パネルの一例を示す図である。図９に示す例では、白色表示媒体４３Ｗ／黒色表示媒体４３Ｂを配置した表示領域と、白色表示媒体４３Ｗ／赤色表示媒体４３Ｒを配置した表示領域との上下２つの表示エリアを使ってエリアカラー表示するよう構成している。図１０に示す例では、白色表示媒体４３Ｗ／赤色表示媒体４３Ｒを配置した表示領域と、白色表示媒体４３Ｗ／黒色表示媒体４３Ｂを配置した表示領域と、白色表示媒体４３Ｗと青色表示媒体４３ＢＬとの上中下３つの表示エリアを使ってエリアカラー表示するよう構成している。
【００３３】
＜非接触充電方式電子ペーパーに用いる電磁波シールド層について＞
次に、非接触充電方式電子ペーパーに用いる電磁波シールド層８の構成について説明する。
【００３４】
本発明の非接触充電方式電子ペーパーにおいて、電磁波シールド層８は、表示部パネル６の表示に、充電池機能部７、駆動装置部１１、書き換え信号受信機能部１２、データ信号収納機能部１３、データ読み出し機能部１４の影響、特に、電磁波の影響が及ばないように設けている。電磁波シールド層８としては、（１）金属銀を含む導電薄膜が設けられたフィルム、（２）金属線又は導電性繊維を網状にした導電メッシュを設けたフィルム、（３）フィルム上の銅箔等の層を網状にエッチング加工し、開口部を設けたもの、（４）フィルム上に導電性インクをメッシュ状に印刷したもの、等が知られており、そのいずれをも利用することができる。
【００３５】
（１）の導電薄膜は、例えば高屈折率透明薄膜と銀薄膜をスパッタリングによる交互積層したものであり、（２）の導電メッシュは、例えば有機繊維の網に銅めっきを施したものであり、（３）の網状の銅箔は、例えば銅箔をＰＥＴ（ポリエチレンテレフタレート）に貼り付け、銅箔にレジスト材料を塗布し、特定形状のフォトマスクを介してレジストに露光、現像し、露出した銅箔をエッチングすることにより得られたものである。（４）の導電性フィルムは、導電性微粒子をバインダに分散させたインクをフィルム上でメッシュパターン状に印刷したものである。
【００３６】
このような電磁波シールド層８は、例えば以下のようにして製造される。フィルムに、銅箔を接着剤によって貼り合わせる。次いで、接着剤側でない銅箔面に、エッチングから銅を保護する材料を銅箔面に印刷等することによって、メッシュ状のパターンで銅箔面を覆う。覆われていない部分の銅箔をエッチング等で除去して、その部分（開口部分）では接着剤の面を露出させる。一方で残った銅箔部分からは、先ほどのエッチングから銅を保護する材料を除去する。これにより微細なメッシュ構造を有する導電性の層を形成させる。得られた電磁波シールド層８では、この導電性メッシュの部分によって電磁波がシールドされることになる。
【００３７】
その他、ポリエチレンやポリプロピレンなどの熱可塑性樹脂に、金属粉やカーボン粉等の導電性粉体や、カーボン繊維、金属コートガラス繊維などの導電性フィラーを分散・混合した導電性樹脂組成物を射出成形等によりフィルム成形した導電性樹脂フィルムも電磁波シールド層として用いられる。
【産業上の利用可能性】
【００３８】
本発明の非接触充電方式電子ペーパーは、電池交換や充電池交換が不要な可逆式情報表示装置として様々な環境で適用できる電子ペーパーとすることができる。
特に、クリーン度が要求される生産工程（例えば半導体の生産工程や精密電子機器の生産工程など）で用いる生産指令書、生産指示書、情報表示ボードなどの電子ペーパーや、水中や高湿度環境で用いる情報表示ボード（電子広告、電子棚札、電子値札、電子ＰＯＰ：Point of presence / Point of Purchase advertising）のほか、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部として好適に用いられる。
【図面の簡単な説明】
【００３９】
【図１】本発明の非接触充電方式電子ペーパーの一例を説明するための図である。
【図２】本発明の非接触充電方式電子ペーパーの他の例を説明するための図である。
【図３】本発明の非接触充電方式電子ペーパーにおける充電池機能部の詳細な構成を説明するための図である。
【図４】本発明の非接触充電方式電子ペーパーにおいて充電池機能部と充電装置とを用いての充電動作を説明するための図である。
【図５】本発明の非接触充電方式電子ペーパーに用いる表示部パネルの構成の一例を説明するための図である。
【図６】本発明の非接触充電方式電子ペーパーに用いる表示部パネルの構成の他の例を説明するための図である。
【図７】本発明の非接触充電方式電子ペーパーに用いる表示部パネルの構成のさらに他の例を説明するための図である。
【図８】本発明の非接触充電方式電子ペーパーに用いる表示部パネルの構成のさらに他の例を説明するための図である。
【図９】本発明の非接触充電方式電子ペーパーに用いる表示部パネルの構成のさらに他の例を説明するための図である。
【図１０】本発明の非接触充電方式電子ペーパーに用いる表示部パネルの構成のさらに他の例を説明するための図である。
【符号の説明】
【００４０】
１  非接触充電方式電子ペーパー
２、３  基板
４  表示媒体
６  表示部パネル
７  非接触充電方式の充電池機能部
８  電磁波シールド層
１１  駆動装置部
１２  書き換え信号受信機能部
１３  データ信号収納機能部
１４  データ読み出し機能部
１５  開閉部分のない筐体
１６  密閉型筐体
２１  受電コイル
２２  充電部
２３  充電池
２４  電源部
２５  充電池電圧検出部
２６  要充電報知駆動部
２７  要充電信号報知部
３１  充電装置
３２  制御部
３３  送電部
３４  送電コイル
４１、４２  基板
４３  表示媒体（粒子群） 
４３Ｗ  白色表示媒体 
４３Ｂ  黒色表示媒体
４３Ｒ  赤色表示媒体
４３Ｇ  緑色表示媒体
４３ＢＬ  青色表示媒体
４３Ｗａ  白色表示用粒子 
４３Ｂａ  黒色表示用粒子
４３Ｒａ  赤色表示用粒子
４３Ｇａ  緑色表示用粒子
４３ＢＬａ  青色表示用粒子
４４  隔壁
４５、４６  電極
５１−１、５１−２、５１−３  セル
５２Ｒ  赤色カラーフィルター
５２Ｇ  緑色カラーフィルター
５２ＢＬ  青色カラーフィルター
５５  絶縁液体
５６  マイクロカプセル
【図１】
2009165226.tif 000003
【図２】
2009165226.tif 000004
【図３】
2009165226.tif 000005
【図４】
2009165226.tif 000006
【図５】
2009165226.tif 000007
【図６】
2009165226.tif 000008
【図７】
2009165226.tif 000009
【図８】
2009165226.tif 000010
【図９】
2009165226.tif 000011
【図１０】
2009165226.tif 000012